(57)【要約】【課題】低コストで色収差を解消する撮像装置及び画像読み取り装置を提供する。【解決手段】基板２４の平坦な表面上に受光部２６、２８、３０を配列すると、基板２４の階段状の表面に受光部２６、２８、３０を配列する場合に比べて撮像装置の製造プロセスを簡素化し、製造コストを低減することができる。受光部２６、２８、３０を配列する基板２４の平坦な表面に対して傾斜した取付面３４を有するパッケージ２２を備えることにより、取付面３４が光学系の光軸１６に対して垂直になるように撮像装置を実装すると波長毎に受光部２６、２８、３０の位置を光軸方向にずらすことができる。さらに、取付面３４と各受光部２６、２８、３０との距離を、受光部２６、２８、３０で受光する光の波長が長くなるほど短くなるように平坦面に対して取付面３４を傾斜させることにより、色収差を解消することができる。【選択図】  図１
2004312339.tif 000002
【特許請求の範囲】
【請求項１】
光電変換により電荷を生成する複数のセルが直列に配列されている受光部であってそれぞれ所定波長の光を受光する受光部が基板の平坦な表面上に並列に複数配列された撮像装置であって、
前記基板の裏面に接合され、前記平坦面に対して傾斜した取付面が前記基板に接合される面の裏側に形成されたシート部を備え、
前記取付面と前記各受光部との距離は、前記各受光部で受光する光の波長が長くなるほど短くなっていることを特徴とする撮像装置。
【請求項２】
前記シート部は前記取付面が形成され前記基板が収容されるパッケージで構成されていることを特徴とする請求項１に記載の撮像装置。
【請求項３】
前記シート部は、前記基板が収容されるパッケージと、前記取付面が形成され前記取付面の裏側が前記パッケージの底部外側に当接するスペーサとで構成されていることを特徴とする請求項１に記載の撮像装置。
【請求項４】
前記セルを直列に配列する間隔は受光する光の波長が長い受光部ほど広いことを特徴とする請求項１、２又は３に記載の撮像装置。
【請求項５】
互いに隣り合う前記受光部の間隔は、互いに隣り合う受光部で受光する光の波長の差が大きいほど広くなっていることを特徴とする請求項１〜４のいずれか一項に記載の撮像装置。
【請求項６】
光電変換により電荷を生成する複数のセルが直列に配列されている受光部であってそれぞれ所定波長の光を受光する受光部が基板の表面上に並列に複数配列された撮像装置であって、
前記セルを直列に配列する間隔は受光する光の波長が長い受光部ほど広いことを特徴とする撮像装置。
【請求項７】
互いに隣り合う前記受光部の間隔は、互いに隣り合う受光部で受光する光の波長の差が大きいほど広くなっていることを特徴とする請求項６に記載の撮像装置。
【請求項８】
光電変換により電荷を生成する複数のセルが直列に配列されている受光部であってそれぞれ所定波長の光を受光する受光部が基板の平坦な表面上に複数配列された撮像装置と、
原稿を縮小して前記複数列の受光部に結像させる光学系と、
前記光学系の光軸方向に前記複数列の受光部が互いにずれて配置され、受光する光の波長が長い受光部ほど前記光学系から光軸方向に離間するように、前記撮像装置を位置決めする位置決め手段と、
前記撮像装置の走査線をその垂線方向に移動させる副走査手段と、
を備えることを特徴とする画像読み取り装置。
【請求項９】
前記撮像装置及び前記光学系を搭載するキャリッジと、
前記撮像装置が実装されるプリント配線板とをさらに備え、
前記位置決め手段は、前記プリント配線板を前記キャリッジに固定する手段であることを特徴とする請求項８に記載の画像読み取り装置。
【請求項１０】
前記撮像装置及び前記光学系を搭載するキャリッジと、
前記撮像装置が実装されるプリント配線板とをさらに備え、
前記位置決め手段は、前記撮像装置と前記プリント配線板との間に固定されるスペーサであることを特徴とする請求項８に記載の画像読み取り装置。
【発明の詳細な説明】
【０００１】
【発明の属する技術分野】
本発明は撮像装置及び画像読み取り装置に関する。
【０００２】
【従来の技術】
従来、ＣＣＤリニアイメージセンサ等の撮像装置はイメージスキャナ、ファクシミリ等の画像読み取り装置で広く用いられている。Ｒ、Ｇ、Ｂ、Ｉｒ等の複数の出力チャンネルを持つ撮像装置には、光電変換により電荷を生成する多数のセルが直列に配列された受光部がチャンネル毎に設けられている。各チャンネルの受光部にはそれぞれ異なる波長の光を透過するフィルタが設けられ、各チャンネルの受光部で互いに異なる波長の光を受光するように構成されている。
【０００３】
ところで、Ｒ、Ｇ、Ｂ、Ｉｒ等の光は互いに波長が異なるため、互いに屈折率が異なる。したがって、通常のレンズを用いて対象物を撮像装置に結像させようとすると、例えばＲの光の像とＢの光の像とに色収差が生じ、それぞれの像の結像位置が光軸方向にずれる。撮像装置を用いた画像読み取り装置では、このような色収差の問題がカラー画像の画質の低下となって顕在化する。また、画像読み取り装置では、色消しレンズ、非球面レンズなどで色収差を解消しようとすると、光学系のコストが増大する。
特許文献１には、基板の階段状の表面に受光部が複数並列に配列された撮像装置により簡素な構成で色収差を解消する技術が開示されている。
【０００４】
【特許文献１】
特開２００１−２４５０９９号公報
【０００５】
【発明が解決しようとする課題】
しかし、基板の表面を階段状に形成するには、基板のマスキングとエッチングを段数回数分だけ繰り返し実施するなどの複雑な製造プロセスが必要になるという問題がある。
本発明は、低コストで色収差を解消する撮像装置及び画像読み取り装置を提供することを目的とする。
【０００６】
【課題を解決するための手段】
上記目的を達成するため、本発明に係る撮像装置は、光電変換により電荷を生成する複数のセルが直列に配列されている受光部であってそれぞれ所定波長の光を受光する受光部が基板の平坦な表面上に並列に複数配列された撮像装置であって、前記基板の裏面に接合され、前記平坦面に対して傾斜した取付面が前記基板に接合される面の裏側に形成されたシート部を備え、前記取付面と前記各受光部との距離は、前記各受光部で受光する光の波長が長くなるほど短くなっていることを特徴とする。基板の平坦な表面上に受光部を配列すると、基板の階段状の表面に受光部を配列する場合に比べて撮像装置の製造プロセスを簡素化し、製造コストを低減することができる。受光部を配列する基板の平坦な表面に対して傾斜した取付面を有するシート部を備えることにより、取付面が光学系の光軸に対して垂直になるように撮像装置を実装すると波長毎に受光部の位置を光軸方向にずらすことができる。さらに、取付面と各受光部との距離を、受光部で受光する光の波長が長くなるほど短くなるように平坦面に対して取付面を傾斜させることにより、色収差を解消することができる。
【０００７】
さらに本発明に係る撮像装置では、前記シート部は前記取付面が形成され前記基板が収容されるパッケージで構成されていることを特徴とする。受光部が配列される基板の平坦な表面に対して傾斜した取付面を撮像装置のパッケージに形成することにより、基板の階段状の表面に受光部を配列する場合に比べて撮像装置の製造プロセスを簡素化し、製造コストを低減することができる。
【０００８】
さらに本発明に係る撮像装置では、前記シート部は、前記基板が収容されるパッケージと、前記取付面が形成され前記取付面の裏側が前記パッケージの底部外側に当接するスペーサとで構成されていることを特徴とする。受光部が配列される基板の平坦な表面に対して傾斜した取付面を撮像装置のスペーサに形成することにより、基板の階段状の表面に受光部を配列する場合に比べて撮像装置の製造プロセスを簡素化し、製造コストを低減することができる。
【０００９】
さらに本発明に係る撮像装置では、前記セルを直列に配列する間隔は受光する光の波長が長い受光部ほど広いことを特徴とする。受光する光の波長によって受光部の配置を光学系の光軸方向にずらすと、光学系の倍率が受光部毎に変わることになる。セルを直列に配列する間隔を受光する光の波長が長い受光部ほど広げると、大きく結像される波長の光の像ほど光学像の標本点の間隔が広がる。したがって、セルを直列に配列する間隔を、受光する光の波長が長い受光部ほど広げると、光の波長による光学系の倍率の違いを打ち消すことができる。
【００１０】
さらに本発明に係る撮像装置では、互いに隣り合う前記受光部の間隔は、互いに隣り合う受光部で受光する光の波長の差が大きいほど広くなっていることを特徴とする。互いに隣り合う前記受光部の間隔を、受光する光の波長の差が大きいほど広くとることにより、受光部が配列される基板の表面が平坦であっても、隣り合う受光部の光軸方向のずれ幅を受光部毎に設定することができる。
【００１１】
上記目的を達成するため、本発明に係る撮像装置は、光電変換により電荷を生成する複数のセルが直列に配列されている受光部であってそれぞれ所定波長の光を受光する受光部が基板の表面上に並列に複数配列された撮像装置であって、前記セルを直列に配列する間隔は受光する光の波長が長い受光部ほど広いことを特徴とする。受光する光の波長によって受光部の配置を光学系の光軸方向にずらすと、光学系の倍率が光の波長によって変わることになる。セルを直列に配列する間隔を受光する光の波長が長い受光部ほど広げると、大きく結像される波長の光の像ほど光学像の標本点の間隔が広がる。したがって、セルを直列に配列する間隔を、受光する光の波長が長い受光部ほど広げると、光の波長による光学系の倍率の違いを打ち消すことができる。
【００１２】
さらに本発明に係る撮像装置では、互いに隣り合う前記受光部の間隔は、互いに隣り合う受光部で受光する光の波長の差が大きいほど広くなっていることを特徴とする。互いに隣り合う前記受光部の間隔を、受光する光の波長の差が大きいほど広くとることにより、受光部が配列される基板の表面が平坦であっても、隣り合う受光部の光軸方向のずれ幅を受光部毎に設定することができる。
【００１３】
上記目的を達成するため、本発明に係る画像読み取り装置では、光電変換により電荷を生成する複数のセルが直列に配列されている受光部であってそれぞれ所定波長の光を受光する受光部が基板の平坦な表面上に複数配列された撮像装置と、原稿を縮小して前記複数列の受光部に結像させる光学系と、前記光学系の光軸方向に前記複数列の受光部が互いにずれて配置され、受光する光の波長が長い受光部ほど前記光学系から光軸方向に離間するように、前記撮像装置を位置決めする位置決め手段と、前記撮像装置の走査線をその垂線方向に移動させる副走査手段と、を備えることを特徴とする。基板の平坦な表面上に受光部を配列すると、基板の階段状の表面に受光部を配列する場合に比べて撮像装置の製造プロセスを簡素化し、製造コストを低減することができる。受光する光の波長が長い受光部ほど光学系から光軸方向に離間するように撮像装置を位置決めすることにより、色収差を解消することができる。
【００１４】
さらに本発明に係る画像読み取り装置では、前記撮像装置及び前記光学系を搭載するキャリッジと、前記撮像装置が実装されるプリント配線板とをさらに備え、前記位置決め手段は、前記プリント配線板を前記キャリッジに固定する手段であることを特徴とする。プリント配線板をキャリッジに固定する手段によって、受光する光の波長が長い受光部ほど光学系から光軸方向に離間させると、色収差を解消することができる。
【００１５】
さらに本発明に係る画像読み取り装置では、前記撮像装置及び前記光学系を搭載するキャリッジと、前記撮像装置が実装されるプリント配線板とをさらに備え、前記位置決め手段は、前記撮像装置と前記プリント配線板との間に固定されるスペーサであることを特徴とする。撮像装置とプリント配線板との間に固定されるスペーサによって、受光する光の波長が長い受光部ほど光学系から光軸方向に離間させると、色収差を解消することができる。
【００１６】
【発明の実施の形態】
以下、本発明の実施の形態を複数の実施例に基づいて説明する。
（第一実施例）
図２は、本発明による画像読み取り装置の第一実施例としてのカラーイメージスキャナを示すブロック図である。
【００１７】
光源１８は、蛍光管ランプ等の管照明装置や面光源装置から構成され、原稿１０を照射する。縮小光学系１３はミラー１４及びレンズ２０で構成され、光源１８に照射された原稿１０の透過光像又は反射光像をイメージセンサ２３に縮小して結像させる。
撮像装置としてのイメージセンサ２３は後述する受光部を並列に３列配列したＣＣＤカラーリニアイメージセンサである。イメージセンサ２３は、ＲＧＢの３チャンネルの画像信号を出力する。
【００１８】
主走査駆動部４８は、イメージセンサ２３及びＡＦＥ部４４を同期して作動させるために必要な駆動パルスをイメージセンサ２３及びＡＦＥ部４４に出力する駆動回路である。主走査駆動部４８は、例えば同期信号発生器、駆動用タイミングジェネレータ等から構成される。
副走査手段としての副走査駆動部５０は、原稿１０に対してイメージセンサ２３を相対的に移動させる機構を備えている。具体的には例えば、イメージセンサ２３を原稿面に対して平行に運搬するキャリッジを移動させるモータ、ベルト、プーリ、歯車列、モータの駆動回路等で構成される。尚、ＡＤＦ（Ａｕｔｏ  Ｄｏｃｕｍｅｎｔ  Ｆｅｅｄｅｒ）によりイメージセンサ２３に対して原稿１０を移動させてもよい。
【００１９】
ＡＦＥ（Ａｎａｌｏｇ  Ｆｒｏｎｔ  Ｅｎｄ）部４４は、アナログ信号処理部、Ａ／Ｄ変換器等から構成される。アナログ信号処理部は、イメージセンサ２３から出力された電気信号に対して増幅、雑音低減処理等のアナログ信号処理を施して出力する。Ａ／Ｄ変換器は、アナログ信号処理部から出力された電気信号を所定ビット長のディジタル表現の出力信号に量子化して出力する。
【００２０】
ディジタル画像処理部４６は、ＡＦＥ部４４から出力された出力信号に対し、ガンマ補正、画素補間法による欠陥画素の補間、シェーディング補正、画像信号の鮮鋭化等の処理を行って画像データを作成し、図示しないインタフェースを介してパーソナルコンピュータ等に出力する。尚、ディジタル画像処理部４６で施す上記各種の処理は、制御部５２で実行するコンピュータプログラムによる処理に置き換えてもよい。
【００２１】
制御部５２は、ＣＰＵ５８、ＲＯＭ５４及びＲＡＭ５６を備えている。ＣＰＵ５８はＲＯＭ５４に記憶されたコンピュータプログラムを実行し、イメージスキャナの各部を制御する。ＲＯＭ５４はＣＰＵ５８が実行するコンピュータプログラムや各種のデータを記憶しているメモリであり、ＲＡＭ５６はプログラムや各種のデータを一時的に記憶するメモリである。
【００２２】
図１は、カラーイメージスキャナの要部を示す模式図である。図３は、イメージセンサ２３の平面図である。図４は、各チャンネルの受光部の長さと位置を示す模式図である。以下、図１、図３及び図４に基づいてイメージセンサ２３及び縮小光学系１３について詳細に説明する。
イメージセンサ２３、レンズ２０、ミラー１４及び光源１８はキャリッジ１２に搭載されている。イメージセンサ２３、レンズ２０、ミラー１４及び光源１８の相対的な位置関係はキャリッジ１２にこれらの要素が固定されることによって決まっている。
【００２３】
撮像装置としてのイメージセンサ２３は、３つの受光部２６、２８、３０、基板２４、パッケージ２２、スペーサ３６等から構成されている。
受光部２６、２８、３０は、ＲＧＢの各チャンネルについて１つずつ基板２４の表面上に形成されている。シリコン等からなる基板２４の表面は平坦に形成されている。
【００２４】
図３に示すように、各受光部２６、２８、３０には、直列に配列された多数のセル６４、７２、９０が２列ずつ並んでいる。各受光部２６、２８、３０において、各列のセルは、各列の配列方向（図３の左右方向）に互い違いにずれて配列されている。尚、各受光部２６、２８、３０のセルの配列は１列ずつでもよい。各受光部には、セルの各列に沿ってＣＣＤアナログシフトレジスタ６２、７６、７４、８６、８２、９２が２列ずつ設けられている。各受光部の２列のＣＣＤアナログシフトレジスタは出力側で合流し、出力部６６、６８、８０に接続されている。ＣＣＤアナログシフトレジスタ６２、７６、７４、８６、８２、９２とセルの各列の間には、それぞれシフトゲート６０、７８、７０，８８，８４，９４が設けられている。
【００２５】
Ｂチャンネルの受光部２６には、青色の光を透過するフィルタが受光面に形成されたフォトダイオードからなる多数のセル６４が配列されている。Ｂチャンネルの受光部２６のセル６４で生成された電荷は、シフトゲート６０、７８を介してＣＣＤアナログシフトレジスタ６２、７６に移送され、ＣＣＤアナログシフトレジスタ６２、７６によって出力部６６に転送される。出力部６６に転送された電荷は、図示しない検出回路によってＢチャンネルの画像信号として検出される。
【００２６】
Ｇチャンネルの受光部２８には、緑色の光を透過するフィルタが受光面に形成されたフォトダイオードからなる多数のセル７２が配列されている。Ｇチャンネルの受光部２８のセル７２で生成された電荷は、シフトゲート７０、８８を介してＣＣＤアナログシフトレジスタ７４、８６に移送され、ＣＣＤアナログシフトレジスタ７４、８６によって出力部６８に転送される。出力部６８に転送された電荷は、図示しない検出回路によってＧチャンネルの画像信号として検出される。
【００２７】
Ｒチャンネルの受光部３０には、赤色の光を透過するフィルタが受光面に形成されたフォトダイオードからなる多数のセル９０が配列されている。Ｂチャンネルの受光部２６のセル６４で生成された電荷は、シフトゲート８４、９４を介してＣＣＤアナログシフトレジスタ８２、９２に移送され、ＣＣＤアナログシフトレジスタ８２、９２によって出力部８０に転送される。出力部８０に転送された電荷は、図示しない検出回路によってＲチャンネルの画像信号として検出される。
【００２８】
図１に示すように、各受光部２６、２８、３０の光軸方向の位置は互いにずれている。より具体的には、各受光部からレンズ２０までの距離Ｄｂ、Ｄｇ、Ｄｒ（図４参照）は、Ｂチャンネルの受光部２６が最も近く、Ｒチャンネルの受光部が最も遠く、Ｇチャンネルの受光部２８がそれらの中間にある。レンズ２０から各受光部までの距離を個別に設定することにより、レンズ２０の色収差によるＲＧＢ各色の３つの結像位置に各１つの受光部を配置することができる。すなわち、Ｂチャンネルの受光部２６を青色の結像位置に配置し、Ｇチャンネルの受光部２８を緑色の結像位置に配置し、Ｒチャンネルの受光部３０を赤色の結像位置に配置し、色収差を解消することができる。その結果、ＲＧＢ各チャンネルの受光部でそれぞれ高い解像度で画像を走査することができる。
【００２９】
シート部としてのパッケージ２２は、セラミック等からなり、受光部２６、２８、３０が表面に形成された基板２４を収容している。基板２４の裏面はパッケージ２２の底部内側に接合されている。パッケージ２２の底部外側の取付面３４は、基板２４の表面に対して傾斜している。パッケージ２２の取付面３４から各受光部までの距離は、Ｂチャンネルの受光部２６が最も遠く、Ｒチャンネルの受光部３０が最も近く、Ｇチャンネルの受光部２８がその中間である。スペーサ３６はパッケージ２２とプリント配線板３８の間に固定されている。尚、スペーサ３６は省略してもよい。イメージセンサ２３が実装されたプリント配線板３８は、キャリッジ１２に形成された複数のボス４２に、光軸１６に対して垂直な姿勢でねじ３２で固定されている。
【００３０】
受光部間のピッチは、互いに隣り合う受光部で受光する光の波長の差が大きいほど広くなっている。各受光部２６、２８、３０の光軸方向のずれは、パッケージ２２の取付面３４の傾斜角θ（図１参照）と受光部間のピッチＰｂｇ、Ｐｇｒ（図３参照）によって設定されている。具体的には、Ｂチャンネルの受光部２６とＧチャンネルの受光部２８の光軸方向のずれ幅Ｗｂｇ、Ｇチャンネルの受光部２８とＲチャンネルの受光部３０の光軸方向のずれ幅Ｗｇｒは、次式（１）の関係にある。
Ｗｂｇ＝Ｐｂｇ・ｓｉｎθ    Ｗｇｒ＝Ｐｇｒ・ｓｉｎθ・・・（１）
したがって、基板２４の表面が平坦であっても受光部間のピッチＰｂｇ、Ｐｇｒを個別に設定することにより、受光部間の光軸方向のずれ幅Ｗｂｇ、Ｗｇｒを個別に設定することができる。
【００３１】
また図３に示すように、Ｂチャンネルの受光部２６のセルのピッチＰｂ、Ｇチャンネルの受光部２８のセルのピッチＰｇ及びＲチャンネルの受光部３０のセルのピッチＰｒは、次式（２）の関係にある。
Ｐｂ＜Ｐｇ＜Ｐｒ・・・（２）
【００３２】
この大小関係は、各受光部で受光する光の波長の大小関係と一致している。すなわち、赤青緑の３色のうち最も波長が短い青色の光を受光するＢチャンネルの受光部２６のセルのピッチＰｂは最も狭く、赤青緑の３色のうち最も波長が長い赤色の光を受光するＲチャンネルの受光部３０のセルのピッチＰｒは最も広い。これにより、受光部２６、２８、３０の位置が光軸上でずれていることにより生ずる倍率の差を打ち消すことができる。以下、詳細に説明する。
【００３３】
図４に示すように、Ｂチャンネルの受光部２６、Ｇチャンネルの受光部２８、Ｒチャンネルの受光部３０のそれぞれからレンズ２０までの距離Ｄｂ、Ｄｇ、Ｄｒは、次式（３）の関係にある。
Ｄｂ＜Ｄｇ＜Ｄｒ・・・（３）
【００３４】
したがって、Ｂチャンネルの受光部２６、Ｇチャンネルの受光部２８、Ｒチャンネルの受光部３０のそれぞれに例えばＡ４サイズの原稿が結像されると、それぞれの画像の幅Ｗｂ、Ｗｇ、Ｗｒは、次式（４）の関係になる。
Ｗｂ＜Ｗｇ＜Ｗｒ・・・（４）
すなわち、Ｂチャンネルの受光部２６に対するレンズ２０の倍率は最も小さく、Ｒチャンネルの受光部３０に対するレンズ２０の倍率は最も大きく、Ｇチャンネルの受光部２８に対するレンズ２０の倍率はそれらの中間になる。
【００３５】
各受光部に対するレンズ２０の倍率に応じてセル６４、７２、９０のピッチＰｂ、Ｐｇ、Ｐｒを個別に設定（すなわち、光学像の標本点の間隔を個別に設定）することにより、原稿の標本点の間隔を一定にすると、受光部２６、２８、３０の位置が光軸上でずれていることにより生ずる倍率の差を打ち消すことができる。
【００３６】
（第二実施例）
図５は、本発明の第二実施例としてのカラーイメージスキャナの要部を示す模式図である。第二実施例は、各受光部２６、２８、３０の光軸方向のずれをスペーサ３６の取付面９６の傾斜角θと受光部間のピッチＰｂｇ、Ｐｇｒ（図３参照）によって設定している点において第一実施例と異なり、その他の点では第一実施例と実質的に同一である。
【００３７】
シート部としてのスペーサ３６はプリント配線板３８とシート部としてのパッケージ２２との間に設けられている。スペーサ３６の取付面９６はプリント配線板３８に当接する。スペーサ３６は、断面が台形の柱状部材である。スペーサ３６の取付面９６は、受光部２６、２８、３０が配列された基板２４の表面に対して傾斜している。スペーサ３６の取付面９６から各受光部までの距離は、Ｂチャンネルの受光部２６が最も遠く、Ｒチャンネルの受光部３０が最も近く、Ｇチャンネルの受光部２８がその中間である。
Ｂチャンネルの受光部２６とＧチャンネルの受光部２８の光軸方向のずれ幅Ｗｂｇ、Ｇチャンネルの受光部２８とＲチャンネルの受光部３０の光軸方向のずれ幅Ｗｇｒは、上述した次式（１）の関係にある。
Ｗｂｇ＝Ｐｂｇ・ｓｉｎθ    Ｗｇｒ＝Ｐｇｒ・ｓｉｎθ・・・（１）
【００３８】
（第三実施例）
図６は、本発明の第三実施例としてのカラーイメージスキャナの要部を示す模式図である。
第三実施例は、各受光部２６、２８、３０の光軸方向のずれをプリント配線板３８の傾斜角θと受光部間のピッチＰｂｇ、Ｐｇｒ（図３参照）によって設定している点において第一実施例と異なり、その他の点では第一実施例と実質的に同一である。
【００３９】
プリント配線板３８は、キャリッジ１２に形成された位置決め手段としての複数のボス４２にねじ３２で固定される。複数のボス４２にプリント配線板３８を固定した状態でプリント配線板３８の傾斜角θが所定の角度に設定されるように各ボス４２の高さは個別に設定されている。尚、プリント配線板３８の傾斜角θを微調整するための調整機構を備えてもよい。
【００４０】
（第四実施例）
図７は、本発明の第四実施例としてのカラーイメージスキャナの要部を示す模式図である。
第四実施例は、イメージセンサ２３がＲ、Ｇ、Ｂ、Ｉｒの４チャンネルの画像信号を出力する構成である点において第三実施例と異なり、その他の点では第三実施例と実質的に同一である。
【００４１】
赤外光（Ｉｒ）の波長と青色光（Ｂ）の波長の差は、Ｒ、Ｂ間の波長の差に比べて相当大きい。したがって、ＲＧＢの各チャンネルの受光部２６、２８、３０のセルのピッチＰｂ、Ｐｇ、Ｐｒに対してＩＲチャンネルの受光部３０のセルのピッチＰｉを個別に設定することによって、倍率の差による赤外光像の解像度の低下を顕著に抑制することができる。また、ＲＧＢの各チャンネルの受光部２６、２８、３０同士のピッチＷｂｇ、Ｗｇｒに対してＲチャンネルの受光部３０とＩＲチャンネルの受光部３０とのピッチＷｒｉを個別に設定することによって、色収差による赤外光像の解像度の低下を顕著に抑制することができる。
【００４２】
以上説明した複数の実施例では、画像読み取り装置としてカラーイメージスキャナを例示したが、本発明はファクシミリ、複写機等の画像読み取り装置に適用することもできる。また、３チャンネルのカラー出力方式の撮像装置に限らず、２チャンネル以上の画像信号を出力する撮像装置であれば本発明を適用可能である。また、フラットベッド型だけでなく、シートフィード型、携帯型、自走型等の種々の画像読み取り装置に本発明を適用可能である。また、キャリッジ移動型だけでなく、ミラー移動型の画像読み取り装置にも本発明を適用可能である。
【図面の簡単な説明】
【図１】本発明の第一実施例に係る模式図である。
【図２】本発明の第一実施例に係るブロック図である。
【図３】本発明の第一実施例に係る平面図である。
【図４】本発明の第一実施例に係る模式図である。
【図５】本発明の第二実施例に係る模式図である。
【図６】本発明の第三実施例に係る模式図である。
【図７】本発明の第四実施例に係る模式図である。
【符号の説明】
１３  縮小光学系、１４  ミラー、１６  光軸、１８  光源、２０  レンズ、２２  パッケージ、２３  イメージセンサ（撮像装置）、２４  基板、２６  受光部、２８  受光部、３０  受光部、３６  スペーサ、３８  プリント配線板、４２  ボス（位置決め手段）、５０  副走査駆動部（副走査手段）、６４  セル、７２  セル、９０  セル
【図１】
2004312339.tif 000003
【図２】
2004312339.tif 000004
【図３】
2004312339.tif 000005
【図４】
2004312339.tif 000006
【図５】
2004312339.tif 000007
【図６】
2004312339.tif 000008
【図７】
2004312339.tif 000009